(57)【要約】【課題】  ユーザが、記憶装置において容易に録画予約をできるようにする。【解決手段】  録画予約がなされると、録画日付、録画チャンネル等の情報を含む予約情報が生成される。録画予約がなされる際、表示装置には、画面１１０のように、予約情報を構成する情報を入力する画面が、個々の情報ごとに表示される。画面１１０は、これから生成しようとする予約情報の中の録画日付が、本日であるか、今週中であるか、来週以降であるかを選択する画面である。そして、来週以降であると選択すると、画面１１０の次に、録画日付が何週先であるかを選択する画面が表示される。そして、当該画面の表示に従って何週先かが選択されると、その次には、曜日を選択する画面が表示される。【選択図】        図１１
2005167704.tif 000002
【特許請求の範囲】
【請求項１】
映像データを記録するデータ記録手段と、
前記データ記録手段による映像データの記録動作についての、複数の項目からなる予約情報を記憶する予約情報記憶手段と、
前記予約情報記憶手段に記憶された前記予約情報に基づいて、前記データ記録手段による映像データの記録動作を制御するデータ記録制御手段と、
前記予約情報を構成する情報の候補である候補情報を記憶する候補情報記憶手段と、
前記候補情報記憶手段に記憶された前記候補情報の中から、前記予約情報を構成する複数の項目のそれぞれに対応する前記候補情報を選択し、所定の表示装置の１つの画面に、前記複数の項目の中の１つの項目について、対応する前記候補情報を表示させる候補情報表示手段と、
前記所定の表示装置に表示された前記候補情報の中から、１つの前記候補情報を、前記予約情報を構成する情報として選択する情報を入力する情報入力手段と、
前記情報入力手段によって入力された情報によって選択される前記予約情報を構成する情報を、前記予約情報記憶手段に記憶させる情報記憶制御手段とを備え、
前記候補情報表示手段は、前記複数の項目について、所定の順序で、各項目に対応する前記候補情報を表示させ、かつ、或る項目に対応する前記候補情報を前記所定の表示装置に表示させたとき、前記情報入力手段によって前記或る項目に対応する前記候補情報の中から１つの前記候補情報を選択する情報が入力されたことを条件として、前記所定の順序において前記或る項目の次の項目に対応する前記候補情報を前記所定の表示装置に表示させ、
前記情報入力手段は、前記所定の表示装置に表示された各前記候補情報に対応する図形を表示させる図形表示手段と、前記図形表示手段により表示された図形の中から図形を選択する図形選択手段と、前記図形選択手段によって選択された図形を確定させる確定手段とを含み、
前記図形選択手段は、操作部を有し、かつ、前記操作部を操作されることにより、前記所定の表示装置において、選択される図形を、一定の順序または前記一定の順序の逆の順序で変更し、
前記情報記憶制御手段は、前記確定手段により確定された図形に対応する前記候補情報を、前記情報入力手段によって入力された情報によって選択される前記予約情報を構成する情報として前記予約情報記憶手段に記憶させる、記録装置。
【請求項２】
映像データを記録するデータ記録手段と、
前記データ記録手段による映像データの記録動作についての、複数の項目からなる予約情報を記憶する予約情報記憶手段と、
前記予約情報記憶手段に記憶された前記予約情報に基づいて、前記データ記録手段による映像データの記録動作を制御するデータ記録制御手段と、
前記予約情報を構成する情報の候補である候補情報を記憶する候補情報記憶手段と、
前記候補情報記憶手段に記憶された前記候補情報の中から、前記予約情報を構成する複数の項目のそれぞれに対応する前記候補情報を選択し、所定の表示装置の１つの画面に、前記複数の項目の中の１つの項目について、対応する前記候補情報を表示させる候補情報表示手段と、
前記所定の表示装置に表示された前記候補情報の中から、１つの前記候補情報を、前記予約情報を構成する情報として選択する情報を入力する情報入力手段と、
前記情報入力手段によって入力された情報によって選択される前記予約情報を構成する情報を、前記予約情報記憶手段に記憶させる情報記憶制御手段とを備える、記録装置。
【請求項３】
前記候補情報表示手段は、前記複数の項目について所定の順序で、各項目に対応する前記候補情報を表示させ、かつ、或る項目に対応する前記候補情報を前記所定の表示装置に表示させたときに、前記情報入力手段によって前記或る項目に対応する前記候補情報の中から１つの前記候補情報を選択する情報が入力されたことを条件として、前記所定の順序において前記或る項目の次の項目に対応する前記候補情報を前記所定の表示装置に表示させる、請求項２に記載の記録装置。
【請求項４】
前記情報入力手段は、前記所定の表示装置に表示された各前記候補情報に対応する図形を表示させる図形表示手段と、前記図形表示手段により表示された図形の中から図形を選択する図形選択手段と、前記図形選択手段による図形の選択を確定させる確定手段とを含み、
前記情報記憶制御手段は、前記確定手段により確定された図形に対応する前記候補情報を、前記情報入力手段によって入力された情報によって選択される前記予約情報を構成する情報として前記予約情報記憶手段に記憶させる、請求項２または請求項３に記載の記録装置。
【請求項５】
前記図形選択手段は、操作部を有し、かつ、前記操作部を操作されることにより、前記所定の表示装置において、選択される図形を、一定の順序または前記一定の順序の逆の順序で変更しる、請求項４に記載の記録装置。
【請求項６】
映像データを記録するステップと、
映像データの記録動作についての、複数の項目からなる予約情報を記憶するステップと、
記憶された前記予約情報に基づいて、映像データの記録動作を制御するステップと、
前記予約情報を構成する情報の候補である候補情報を記憶するステップと、
記憶された前記候補情報の中から、前記予約情報を構成する複数の項目のそれぞれに対応する前記候補情報を選択し、所定の表示装置の１つの画面に、前記複数の項目の中の１つの項目について、対応する前記候補情報を表示させるステップと、
前記所定の表示装置に表示された前記候補情報の中から、１つの前記候補情報を、前記予約情報を構成する情報として選択する情報を入力するステップとを備え、
前記候補情報を表示させるステップでは、前記複数の項目について、所定の順序で、各項目に対応する前記候補情報を表示させ、かつ、或る項目に対応する前記候補情報を前記所定の表示装置に表示させたとき、前記或る項目に対応する前記候補情報の中から１つの前記候補情報を選択する情報が入力されたことを条件として、前記所定の順序において前記或る項目の次の項目に対応する前記候補情報を前記所定の表示装置に表示させ、
前記情報を入力するステップは、前記所定の表示装置に表示された各前記候補情報に対応する図形を前記所定の表示装置に表示させるステップと、前記所定の表示装置に表示された図形の中から図形を選択するステップと、前記選択された図形を確定させるステップとを含み、
前記図形を選択するステップでは、所定の操作部を操作されることにより、前記所定の表示装置において、前記選択される図形を一定の順序または前記一定の順序の逆の順序で変更し、
前記予約情報を記憶するステップでは、前記図形を確定させるステップで確定された図形に対応する前記候補情報を、前記予約情報を構成する情報として記憶する、記録装置における録画予約方法。
【請求項７】
映像データを記録するステップと、
映像データの記録動作についての、複数の項目からなる予約情報を記憶するステップと、
記憶された前記予約情報に基づいて、映像データの記録動作を制御するステップと、
前記予約情報を構成する情報の候補である候補情報を記憶する候補情報記憶手段と、
記憶された前記候補情報の中から、前記予約情報を構成する複数の項目のそれぞれに対応する前記候補情報を選択し、所定の表示装置の１つの画面に、前記複数の項目の中の１つの項目について、対応する前記候補情報を表示させるステップと、
前記所定の表示装置に表示された前記候補情報の中から、１つの前記候補情報を、前記予約情報を構成する情報として選択する情報を入力するステップとを備え、
前記予約情報を記憶するステップでは、前記情報を入力するステップで入力された情報によって選択された前記予約情報を構成する情報を記憶する、記録装置における録画予約方法。
【請求項８】
前記候補情報を表示させるステップでは、前記複数の項目について所定の順序で、各項目に対応する前記候補情報を表示させ、かつ、或る項目に対応する前記候補情報を前記所定の表示装置に表示させたときに、前記或る項目に対応する前記候補情報の中から１つの前記候補情報を選択する情報が入力されたことを条件として、前記所定の順序において前記或る項目の次の項目に対応する前記候補情報を前記所定の表示装置に表示させる、請求項７に記載の記録装置における録画予約方法。
【請求項９】
前記情報を入力するステップは、前記所定の表示装置に表示された各前記候補情報に対応する図形を前記所定の表示装置に表示させるステップと、前記所定の表示装置に表示された図形の中から図形を選択するステップと、前記選択された図形を確定させるステップとを含み、
前記予約情報を記憶するステップでは、前記図形を確定させるステップで確定された図形に対応する前記候補情報を、前記予約情報を構成する情報として記憶する、請求項７または請求項８に記載の記録装置における録画予約方法。
【請求項１０】
前記図形を選択するステップでは、所定の操作部を操作されることにより、前記所定の表示装置において、前記選択される図形を一定の順序または前記一定の順序の逆の順序で変更しる、請求項９に記載の記録装置における録画予約方法。
【発明の詳細な説明】
【技術分野】
【０００１】
本発明は、記録装置および記録装置における録画予約方法に関し、特に、録画予約を設定でき、かつ、当該録画予約の設定に要するユーザの操作を容易にされた、記録装置および記録装置における録画予約方法に関する。
【背景技術】
【０００２】
従来から、記録装置において、録画についての予約がなされることにより、指定された時刻に指定されたチャンネルの番組が自動的に録画される技術があった。
【０００３】
また、当該録画予約を、ユーザにとって容易なものにするための技術として、特に、録画予約に関する表示に対して工夫を加える技術が種々開示されている。
【０００４】
たとえば、特許文献１では、記録装置における録画予約の際、予約設定開始ボタンの押下により、モニタ画面に、少なくとも、予約日付と予約時間帯を表形式で一覧表示し、当該一覧表上にカーソルを出現させ、当該カーソルを移動させることによって、時刻セットを可能とし、また、カーソルが当該時刻セットを行なった位置にある状態で、希望チャンネルの選択を可能とし、そして、予約を確定した後、カーソルの表示態様を変化させる技術が開示されている。
【０００５】
なお、録画予約に関連した動作のための表示態様に工夫が加えられた技術として、特許文献２に開示された技術を挙げることができる。特許文献２では、画像処理装置において、ユーザが所望の番組を容易に探し出し、再生できるように、録画済みの番組、録画中の番組、および、録画予約された番組が、それぞれカレンダー状に配置された領域上に対応する時間帯に合わせて表示され、さらに、ユーザが、当該表示に基づいて、所望の番組を、カーソルを移動させることにより選択し、再生できる技術が開示されている。
【特許文献１】特開平７−３０７０４４号公報
【特許文献２】特開２０００−２７８６３９号公報
【発明の開示】
【発明が解決しようとする課題】
【０００６】
なお、特許文献１および特許文献２に開示された技術では、録画予約等を行なう際に、カレンダー状等の、日付および時刻等の多くの情報が一画面に集約された表示がなされていた。このため、ユーザは、録画予約の際に、多くの情報の中から自分に必要な情報を選択して注目しなければならず、このため、ユーザは、従来の録画予約の際に、煩雑であると感じる場合があった。つまり、従来の録画予約のための技術には、まだ、ユーザが容易に録画予約を行なうために、改良を必要とされていた。
【０００７】
本発明は、かかる実情に鑑み考え出されたものであり、その目的は、ユーザが、容易に録画予約を行なうことができる記録装置および記録装置における録画予約方法を提供することである。
【課題を解決するための手段】
【０００８】
本発明の或る局面に従った記録装置は、映像データを記録するデータ記録手段と、前記データ記録手段による映像データの記録動作についての、複数の項目からなる予約情報を記憶する予約情報記憶手段と、前記予約情報記憶手段に記憶された前記予約情報に基づいて、前記データ記録手段による映像データの記録動作を制御するデータ記録制御手段と、前記予約情報を構成する情報の候補である候補情報を記憶する候補情報記憶手段と、前記候補情報記憶手段に記憶された前記候補情報の中から、前記予約情報を構成する複数の項目のそれぞれに対応する前記候補情報を選択し、所定の表示装置の１つの画面に、前記複数の項目の中の１つの項目について、対応する前記候補情報を表示させる候補情報表示手段と、前記所定の表示装置に表示された前記候補情報の中から、１つの前記候補情報を、前記予約情報を構成する情報として選択する情報を入力する情報入力手段と、前記情報入力手段によって入力された情報によって選択される前記予約情報を構成する情報を、前記予約情報記憶手段に記憶させる情報記憶制御手段とを備え、前記候補情報表示手段は、前記複数の項目について、所定の順序で、各項目に対応する前記候補情報を表示させ、かつ、或る項目に対応する前記候補情報を前記所定の表示装置に表示させたとき、前記情報入力手段によって前記或る項目に対応する前記候補情報の中から１つの前記候補情報を選択する情報が入力されたことを条件として、前記所定の順序において前記或る項目の次の項目に対応する前記候補情報を前記所定の表示装置に表示させ、前記情報入力手段は、前記所定の表示装置に表示された各前記候補情報に対応する図形を表示させる図形表示手段と、前記図形表示手段により表示された図形の中から図形を選択する図形選択手段と、前記図形選択手段によって選択された図形を確定させる確定手段とを含み、前記図形選択手段は、操作部を有し、かつ、前記操作部を操作されることにより、前記所定の表示装置において、選択される図形を、一定の順序または前記一定の順序の逆の順序で変更し、前記情報記憶制御手段は、前記確定手段により確定された図形に対応する前記候補情報を、前記情報入力手段によって入力された情報によって選択される前記予約情報を構成する情報として前記予約情報記憶手段に記憶させることを特徴とする。
【０００９】
本発明の或る局面に従うと、記録装置においてユーザが録画予約を行なう際、予約情報を構成する項目の中の１つの項目についての候補が所定の表示装置に表示され、ユーザが、当該所定の表示装置に表示された候補から予約情報を構成する情報を選択すると、選択された情報が、予約情報を構成する情報として記憶される。つまり、記録装置においてユーザが録画予約を行なう際、所定の表示装置の１つの画面に、１つの項目についてのみ、予約情報を構成する情報の候補が表示されることになる。また、本発明の或る局面に従うと、ユーザが、所定の表示装置に表示された候補から予約情報を構成する情報を選択すると、次に、それまで表示されていた項目の所定の順序における次の項目の、予約情報を構成する情報の候補が、所定の表示装置に表示され、ユーザは、当該表示を参照しながら、当該次の項目について予約情報を構成する情報を選択することができる。つまり、ユーザは、所定の表示装置における表示に従うだけで、予約情報を構成する複数の項目について所定の順序で候補情報を選択する情報を入力できる。
【００１０】
本発明の他の局面に従った記録装置は、映像データを記録するデータ記録手段と、前記データ記録手段による映像データの記録動作についての、複数の項目からなる予約情報を記憶する予約情報記憶手段と、前記予約情報記憶手段に記憶された前記予約情報に基づいて、前記データ記録手段による映像データの記録動作を制御するデータ記録制御手段と、前記予約情報を構成する情報の候補である候補情報を記憶する候補情報記憶手段と、前記候補情報記憶手段に記憶された前記候補情報の中から、前記予約情報を構成する複数の項目のそれぞれに対応する前記候補情報を選択し、所定の表示装置の１つの画面に、前記複数の項目の中の１つの項目について、対応する前記候補情報を表示させる候補情報表示手段と、前記所定の表示装置に表示された前記候補情報の中から、１つの前記候補情報を、前記予約情報を構成する情報として選択する情報を入力する情報入力手段と、前記情報入力手段によって入力された情報によって選択される前記予約情報を構成する情報を、前記予約情報記憶手段に記憶させる情報記憶制御手段とを備えることを特徴とする。
【００１１】
本発明の他の局面に従うと、記録装置においてユーザが録画予約を行なう際、予約情報を構成する項目の中の１つの項目についての候補が所定の表示装置に表示され、ユーザが、当該所定の表示装置に表示された候補から予約情報を構成する情報を選択すると、選択された情報が、予約情報を構成する情報として記憶される。つまり、記録装置においてユーザが録画予約を行なう際、所定の表示装置の１つの画面に、１つの項目についてのみ、予約情報を構成する情報の候補が表示されることになる。
【００１２】
また、本発明の記録装置では、前記候補情報表示手段は、前記複数の項目について所定の順序で、各項目に対応する前記候補情報を表示させ、かつ、或る項目に対応する前記候補情報を前記所定の表示装置に表示させたときに、前記情報入力手段によって前記或る項目に対応する前記候補情報の中から１つの前記候補情報を選択する情報が入力されたことを条件として、前記所定の順序において前記或る項目の次の項目に対応する前記候補情報を前記所定の表示装置に表示させることが好ましい。
【００１３】
これにより、ユーザが、所定の表示装置に表示された候補から予約情報を構成する情報を選択すると、次に、それまで表示されていた項目の所定の順序における次の項目の、予約情報を構成する情報の候補が、所定の表示装置に表示され、ユーザは、当該表示を参照しながら、当該次の項目について予約情報を構成する情報を選択することができる。つまり、ユーザは、所定の表示装置における表示に従うだけで、予約情報を構成する複数の項目について所定の順序で候補情報を選択する情報を入力できる。
【００１４】
また、本発明の記録装置では、前記情報入力手段は、前記所定の表示装置に表示された各前記候補情報に対応する図形を表示させる図形表示手段と、前記図形表示手段により表示された図形の中から図形を選択する図形選択手段と、前記図形選択手段によって選択された図形を確定させる確定手段とを含み、前記情報記憶制御手段は、前記確定手段により確定された図形に対応する前記候補情報を、前記情報入力手段によって入力された情報によって選択される前記予約情報を構成する情報として前記予約情報記憶手段に記憶させることが好ましい。
【００１５】
また、本発明の記録装置では、前記図形選択手段は、操作部を有し、かつ、前記操作部を操作されることにより、前記所定の表示装置において、選択される図形を、一定の順序または前記一定の順序の逆の順序で変更しることが好ましい。
【００１６】
本発明の或る局面に従った記録装置における録画予約方法は、映像データを記録するステップと、映像データの記録動作についての、複数の項目からなる予約情報を記憶するステップと、記憶された前記予約情報に基づいて、映像データの記録動作を制御するステップと、前記予約情報を構成する情報の候補である候補情報を記憶するステップと、記憶された前記候補情報の中から、前記予約情報を構成する複数の項目のそれぞれに対応する前記候補情報を選択し、所定の表示装置の１つの画面に、前記複数の項目の中の１つの項目について、対応する前記候補情報を表示させるステップと、前記所定の表示装置に表示された前記候補情報の中から、１つの前記候補情報を、前記予約情報を構成する情報として選択する情報を入力するステップとを備え、前記候補情報を表示させるステップでは、前記複数の項目について、所定の順序で、各項目に対応する前記候補情報を表示させ、かつ、或る項目に対応する前記候補情報を前記所定の表示装置に表示させたとき、前記或る項目に対応する前記候補情報の中から１つの前記候補情報を選択する情報が入力されたことを条件として、前記所定の順序において前記或る項目の次の項目に対応する前記候補情報を前記所定の表示装置に表示させ、前記情報を入力するステップは、前記所定の表示装置に表示された各前記候補情報に対応する図形を前記所定の表示装置に表示させるステップと、前記所定の表示装置に表示された図形の中から図形を選択するステップと、前記選択された図形を確定させるステップとを含み、前記図形を選択するステップでは、所定の操作部を操作されることにより、前記所定の表示装置において、前記選択される図形を一定の順序または前記一定の順序の逆の順序で変更し、前記予約情報を記憶するステップでは、前記図形を確定させるステップで確定された図形に対応する前記候補情報を、前記予約情報を構成する情報として記憶することを特徴とする。
【００１７】
本発明の或る局面に従うと、記録装置においてユーザが録画予約を行なう際、予約情報を構成する項目の中の１つの項目についての候補が所定の表示装置に表示され、ユーザが、当該所定の表示装置に表示された候補から予約情報を構成する情報を選択すると、選択された情報が、予約情報を構成する情報として記憶される。つまり、記録装置においてユーザが録画予約を行なう際、所定の表示装置の１つの画面に、１つの項目についてのみ、予約情報を構成する情報の候補が表示されることになる。また、本発明の或る局面に従うと、ユーザが、所定の表示装置に表示された候補から予約情報を構成する情報を選択すると、次に、それまで表示されていた項目の所定の順序における次の項目の、予約情報を構成する情報の候補が、所定の表示装置に表示され、ユーザは、当該表示を参照しながら、当該次の項目について予約情報を構成する情報を選択することができる。つまり、ユーザは、所定の表示装置における表示に従うだけで、予約情報を構成する複数の項目について所定の順序で候補情報を選択する情報を入力できる。
【００１８】
本発明の他の局面に従った記録装置における録画予約方法は、映像データを記録するステップと、映像データの記録動作についての、複数の項目からなる予約情報を記憶するステップと、記憶された前記予約情報に基づいて、映像データの記録動作を制御するステップと、前記予約情報を構成する情報の候補である候補情報を記憶する候補情報記憶手段と、記憶された前記候補情報の中から、前記予約情報を構成する複数の項目のそれぞれに対応する前記候補情報を選択し、所定の表示装置の１つの画面に、前記複数の項目の中の１つの項目について、対応する前記候補情報を表示させるステップと、前記所定の表示装置に表示された前記候補情報の中から、１つの前記候補情報を、前記予約情報を構成する情報として選択する情報を入力するステップとを備え、前記予約情報を記憶するステップでは、前記情報を入力するステップで入力された情報によって選択された前記予約情報を構成する情報を記憶することを特徴とする。
【００１９】
本発明の他の局面に従うと、記録装置においてユーザが録画予約を行なう際、予約情報を構成する項目の中の１つの項目についての候補が所定の表示装置に表示され、ユーザが、当該所定の表示装置に表示された候補から予約情報を構成する情報を選択すると、選択された情報が、予約情報を構成する情報として記憶される。つまり、記録装置においてユーザが録画予約を行なう際、所定の表示装置の１つの画面に、１つの項目についてのみ、予約情報を構成する情報の候補が表示されることになる。
【００２０】
また、本発明に従った記録装置における録画予約方法では、前記候補情報を表示させるステップでは、前記複数の項目について所定の順序で、各項目に対応する前記候補情報を表示させ、かつ、或る項目に対応する前記候補情報を前記所定の表示装置に表示させたときに、前記或る項目に対応する前記候補情報の中から１つの前記候補情報を選択する情報が入力されたことを条件として、前記所定の順序において前記或る項目の次の項目に対応する前記候補情報を前記所定の表示装置に表示させることが好ましい。
【００２１】
また、本発明に従った記録装置における録画予約方法では前記情報を入力するステップは、前記所定の表示装置に表示された各前記候補情報に対応する図形を前記所定の表示装置に表示させるステップと、前記所定の表示装置に表示された図形の中から図形を選択するステップと、前記選択された図形を確定させるステップとを含み、前記予約情報を記憶するステップでは、前記図形を確定するステップで確定された図形に対応する前記候補情報を、前記予約情報を構成する情報として記憶することが好ましい。
【００２２】
また、本発明に従った記録装置における録画予約方法は、前記図形を選択するステップでは、所定の操作部を操作されることにより、前記所定の表示装置において、前記選択される図形を一定の順序または前記一定の順序の逆の順序で変更しることが好ましい。
【発明の効果】
【００２３】
本発明によると、ユーザは、録画予約を行なう際、所定の表示装置に表示される、予約情報を構成する複数の項目の中の１つの項目分の情報の候補に対して、情報の選択を行なえば良い。つまり、本発明によると、ユーザは、一度に多くの情報を与えられ、当該多くの情報の中から所望する録画予約に必要な情報を選択して注目する必要がなくなる。したがって、本発明によると、録画予約が、ユーザにとって容易なものとされる。
【００２４】
また、本発明によると、予約情報を構成する複数の項目について、１つの項目分ずつ、所定の順序で、候補情報を選択する情報を入力していくことができる。
【００２５】
また、本発明によると、ユーザは、所定の表示装置における表示内容を参照しながら、当該所定の表示装置に表示されたカーソルを利用して、録画情報を構成する情報の入力ができる。
【００２６】
また、本発明によると、ユーザがカーソルを移動させるために操作部に対して必要とされる操作が、カーソルの表示される位置を一定の順序またはその逆の順序に移動させるための操作、つまり、単純な操作となる。したがって、録画予約のためにユーザが必要とされる操作が、容易なものになる。
【発明を実施するための最良の形態】
【００２７】
以下、図面を参照しつつ、本発明の記録装置の実施の形態の一例であるパーソナルビデオレコーダ（Personal Video Recorder ：以下、ＰＶＲと略す）について説明する。なお、以下の説明では、同一の部品には、特記された場合を除き、同一の符号が付され、それらの名称および機能も同じである。したがって、それらについての詳細な説明は繰り返さない。
【００２８】
［ＰＶＲの構成］
図１は、ＰＶＲ１の制御ブロック図である。ＰＶＲ１は、当該ＰＶＲ１の動作を全体的に制御するＣＰＵ（Central Processing Unit）２を備えている。
【００２９】
また、ＰＶＲ１は、ＲＯＭ（Read Only Memory）３、ＲＡＭ（Random Access Memory）４、映像記憶部５、ＨＤＤ（Hard Disk Drive）６、映像入力部７、Ａ／Ｄコンバータ（Analog Digital Converter）８、アンテナ９、入力部１０、リモートコントローラ（リモコン）１１、映像出力部１２、Ｄ／Ａコンバータ（Digital Analog Converter）１３、外部接続部１４、および、タイマ１５を備えている。
【００３０】
ＲＯＭ３には、一般の情報処理装置に設置された場合と同様に、ＣＰＵ２の実行するべきプログラムが記憶され、さらに、ＰＶＲ１において録画予約がなされる際に必要とされる情報が記憶される。なお、録画予約とは、録画を予約することであり、録画予約をする、とは、録画を予約するための情報（予約情報）を生成しかつ当該予約情報をＲＡＭ４に記憶させることである。また、具体的には、ＲＯＭ３には、予約情報と、予約情報の候補となる情報（以下、候補情報と略す）とが記憶されている。
【００３１】
図２に、ＲＯＭ３に記憶されている予約情報の内容を、表形式で示す。図２に示された状態では、ＲＯＭ３には、２件の予約情報（「録画予約１」および「録画予約２」）が記憶されている。本明細書では、「録画予約」の後に付された「１」，「２」等の数字を、予約番号と呼ぶ。
【００３２】
各予約情報には、録画するべき日を特定する情報である録画日付、録画するべきチャンネルを特定する情報である録画チャンネル、録画を開始する時刻を特定する情報である録画開始時刻、および、録画する画質を特定する情報である録画画質が含まれる。また、各予約情報には、録画を終了する時刻を特定する情報である録画終了時刻と録画が開始されてから終了するまでの時間を特定する情報である録画時間のいずれか一方が含まれる。さらに、各予約情報には、録画を繰り返す条件を特定する情報である繰返し録画条件という２つの情報が、選択的に、含まれる。
【００３３】
たとえば、図２中の「録画予約１」は、「２００３年１１月５日に、チャンネルＡの番組を、午前１０時から午前１１まで、ＸＰという画質で録画する」という録画動作を予約する情報である。また、図２中の「録画予約２」は、「２００３年１１月６日から、チャンネルＢの番組を、午後１１時から１時間、ＳＰという画質で、（録画予約が解除されるまで）毎日、録画する」という録画動作を予約する情報である。なお、図２にチャンネル名として記載されている「Ａ」「Ｂ」は、例示であり、実際は、テレビ局を選局するための数字や文字列等が、記憶されている。
【００３４】
また、図３に、ＲＯＭ３に記憶されている候補情報の内容を、表形式で示す。
【００３５】
図３に示された状態では、ＲＯＭ３には、候補情報が、候補分類と記載された欄の項目に従って分類されて、記憶されている。
【００３６】
図３に記載されたように、候補情報は、大まかに、「日付」「チャンネル」「時刻」「時間」「画質」および「繰返し録画条件」という６項目に分類されて、記憶されている。
【００３７】
具体的には、ＲＯＭ３には、「日付」という分類の中に、「第１群」〜「第３群」という３つの項目が設けられている。「第１群」という項目には、「今日」「今週中」および「来週以降」という、日を特定するための３つの候補情報が含まれる。「第２群」という項目には、「来週」「２週後」「３週後」「４週後」「５週後」および「６週後」という、週を特定するための６つの候補情報が含まれる。「第３群」という項目には、「日曜」「月曜」「火曜」「水曜」「木曜」「金曜」および「土曜」という曜日を特定する７つの候補情報が含まれる。
【００３８】
また、ＲＯＭ３では、「チャンネル」という分類の中に、「Ａ」「Ｂ」「Ｃ」「Ｄ」「Ｅ」…というチャンネルを特定するための候補情報が含まれる。なお、図２の説明の際に記載したように、「Ａ」「Ｂ」等はチャンネルを特定するための文字列の例示であり、実際には、ＲＯＭ３の「チャンネル」という分類には、視聴可能なチャンネルを特定するための文字列が、候補情報として、含まれる。
【００３９】
また、ＲＯＭ３には、「時刻」という分類の中に、「午前／午後」「時」および「分」という３つの項目が設けられている。「午前／午後」という項目には、「午前」および「午後」という２つの候補情報が含まれる。「時」という項目には、時刻を特定する際の時間の単位を特定するための「１」〜「１２」の１２個の数字に対応した候補情報が含まれる。「分」という項目には、時刻を特定する際の分の単位を特定するための「００」「１０」「２０」「３０」「４０」および「５０」という６個の候補情報が含まれる。
【００４０】
また、ＲＯＭ３には、「画質」という分類の中に、録画する際の画質を特定するための「ＸＰ」「ＳＰ」「ＬＰ」「ＥＰ」「ＳＬＰ」および「ＳＥＰ」という６個の候補情報が含まれる。なお、この６個の候補情報の中では、たとえば、「ＸＰ」が最も高画質であり、そして、記載された順に画質が変化する。
【００４１】
また、ＲＯＭ３には、「繰返し録画条件」という分類の中に、「毎日」「毎週」および「月〜土」を含む。なお、「月〜土」とは、月曜から土曜の毎日繰り返して録画することを意味する。
【００４２】
再度、図１を参照して、ＲＡＭ４は、ＣＰＵ２のワークエリアとして機能するとともに、録画予約がなされた際の録画を予約する情報を記憶する。
【００４３】
映像記憶部５は、ＨＤＤ６に情報を記録させるためのものである。ＨＤＤ６は、ハードディスクおよびピックアップを含み、ピックアップによって、ハードディスクにデータを記録したり、ハードディスクに記録されたデータを出力したりするものである。映像入力部７は、アンテナ９で受信され、Ａ／Ｄコンバータ８でデジタルデータに変換された、映像等の各種のデータを、ＣＰＵ２に入力するためのものである。
【００４４】
入力部１０は、ユーザがＰＶＲ１に対して情報を入力するためのものであり、たとえば単数または複数のキー操作部により構成される。リモコン１１は、ＰＶＲ１本体から離間した場所からＰＶＲ１に入力するための情報を送信するものであり、入力部１０に設けられた受信部（図示略）に向けて情報を送信する。入力部１０では、リモコン１１から受信した情報も、上記したキー操作部から入力された情報と同様に処理される。
【００４５】
図４は、リモコン１１の平面図である。
【００４６】
リモコン１１には、ＰＶＲ１への電源の投入の状態を変更するための電源キー１３０と、上記した予約情報の生成または確認のための予約キー１１１、「１」〜「０」の各数字を入力するためのテンキー１１２、テンキー１１２によって入力される数字に対して「１０」の桁の数字を入力するための＋１０キー１１３、ＨＤＤ６に記憶されたデータを再生させるための再生キー１１４、当該再生を早送りさせるための早送りキー１１５、当該再生を巻戻すための巻戻しキー１１６、当該再生を停止させるための停止キー１１７、メニュー画面を表示させるためのメニューキー１１８、ＨＤＤ６にアンテナ９を介して受信したデータを記録するための録画キー１１９、現在入力中の内容を決定するための決定キー１２０、および、表示装置等に表示されている選択領域を上，下，左，右にそれぞれ移動させるための上キー１２１，下キー１２２，右キー１２３，左キー１２４が設けられている。
【００４７】
映像出力部１２は、ＣＰＵ２の制御に基づいて、外部の表示装置に向けて、Ｄ／Ａコンバータ１３を介して、アナログデータに変換された映像（および音声）のデータを出力するものである。映像出力部１２がＤ／Ａコンバータ１３を介して出力するデータは、アンテナ９を介して受信されたデータ、ＨＤＤ６に記憶されたデータ、および、ＣＰＵ２によって作成された制御用の映像等を表示させるためのデータを含む。なお、本実施の形態では、ＰＶＲ１が表示装置を含まないように記述されているが、ＰＶＲ１が表示装置と一体的に、つまり、ＰＶＲ１が表示装置を含むように構成されていてもよい。
【００４８】
外部接続部１４は、ＰＶＲ１が外部の機器と接続される際のインターフェイスとなる部分であり、たとえば、ＵＳＢ（Universal Serial Bus）端子等により構成される。
【００４９】
タイマ１５は、計時動作を行なう。ＰＶＲ１は、録画予約が可能であり、ＣＰＵ１は、タイマ１５の計時する時間に基づいて、録画予約に基づいた録画動作を行なう。
【００５０】
［ＰＶＲの動作］
次に、ＣＰＵ２のメインルーチンのフローチャートである図５および図６を参照して、ＰＶＲ１の動作を説明する。なお、本実施の形態のＰＶＲ１は、その録画予約についての動作に特徴を有する。したがって、図５および図６に記載されたメインルーチンは、特に、録画予約について詳細に説明されるように、記載されている。
【００５１】
電源キー１３０が操作されることによりＰＶＲ１に電源が投入されると、ＣＰＵ２は、ステップＳ１（以下、「ステップ」を省略する）で、外部の表示装置に、初期画面を表示させる。具体的には、Ｓ１では、ＣＰＵ２は、映像出力部１２を介して、外部の表示装置に対して、初期画面を表示させるためのデータを送信する。初期画面とは、任意に設定することができ、たとえば、ＰＶＲ１のメーカのロゴ等が表示される画面を挙げることができる。
【００５２】
次に、ＣＰＵ２は、Ｓ２で、メニューキー１１８が操作されたか否かを判断し、操作されたと判断するとＳ３へ、操作されていないと判断するとＳ５へ、それぞれ処理を進める。
【００５３】
Ｓ５では、ＣＰＵ２は、予約キー１１１が操作されたか否かを判断し、操作されたと判断するとＳ６へ処理を進める。一方、操作されていないと判断すると、Ｓ７で、リモコン１１または入力部１０に対する操作の内容に応じた処理を実行した後、Ｓ１に処理を戻す。
【００５４】
また、Ｓ３では、ＣＰＵ２は、表示装置に、図７に示すようなＳｅｔｕｐ画面を表示させる。具体的には、Ｓ１では、ＣＰＵ２は、映像出力部１２を介して、表示装置に対して、Ｓｅｔｕｐ画面を表示させるためのデータを送信する。
【００５５】
図７を参照して、Ｓｅｔｕｐ画面７０には、録画動作についての設定に関連したボタン７１、録画予約についての設定に関連したボタン７２、ＰＶＲ１の基本的な動作の設定に関連したボタン７３、ＰＶＲ１における設定内容の初期化に関連したボタン７４、ＰＶＲ１が再生する映像についての設定に関連したボタン７５、および、ＰＶＲ１が再生する音声についての設定に関連したボタン７６が含まれる。なお、Ｓｅｔｕｐ画面７０では、これらのボタンは、いずれも、基本的に同じ色で表示される。ただし、Ｓｅｔｕｐ画面７０では、常に、これらのボタンの中の１つが選択された状態となっている。選択されたボタンは、他のボタンとは異なる色で表示される。
【００５６】
Ｓｅｔｕｐ画面７０において選択されるボタンは、たとえば、リモコン１１の上キー１２１および／または下キー１２２が操作されることにより、変更される。具体的には、ＣＰＵ２は、リモコン１１におけるキー操作に従って、選択対象となるボタンを認識するとともに、当該ボタンが表示される色を変更する情報を、映像出力部１２を介して、表示装置に出力する。
【００５７】
次に、ＣＰＵ２は、Ｓ４で、予約ボタン７２が選択された状態で決定キー１２０が操作されたか否かを判断し、そうであればＳ６へ、そうでなければＳ７へ、それぞれ処理を進める。
【００５８】
Ｓ６では、ＣＰＵ２は、図８に示すような予約初期画面を表示させる。
【００５９】
図８を参照して、予約初期画面８０には、ボタン８１〜８４が表示されている。ボタン８１上には、「予約入力」という文字列が表示され、また、アイコン８９を表示するための欄８１Ａが設けられている。ボタン８２上には、「予約確認」という文字列が表示され、また、アイコン８９を表示するための欄８２Ａが設けられている。ボタン８３は、画面を初期画面等、直前に表示されていた画面に戻すためのボタンである。ボタン８４は、現在の操作を終了するためのボタンである。
【００６０】
予約初期画面８０は、これからの、録画予約をするための情報の入力を行なうか、すでに入力されている予約情報をを確認するかを、ユーザに選択させるための画面である。予約初期画面８０では、ボタン８１〜８４のいずれか１つのボタンが選択可能である。ボタン８１〜８４のいずれかが選択された状態で決定キー１２０が操作されると、ＰＶＲ１では、選択されたボタンに応じた処理が実行される。なお、ボタン８１が選択された状態では、アイコン８９が欄８１Ａ内に表示される。また、ボタン８２が選択された状態では、アイコン８９が欄８２Ａ内に表示される。また、ボタン８３が選択された状態では、当該ボタン８３は選択されていない状態とは異なる色で表示され、ボタン８４が選択された状態では、当該ボタン８４は選択されていない状態とは異なる色で表示される。ボタン８１〜８４の中で選択されるボタンは、たとえば、リモコン１１の上キー１２１および／または下キー１２２が操作されることにより、変更される。
【００６１】
再度図５を参照して、Ｓ６の処理の後、ＣＰＵ２は、Ｓ８で、予約初期画面８０を表示させた状態で決定キー１２０が操作された際に選択されているボタンをチェックする。そして、録画予約のための情報入力（予約入力）に対応したボタン８１が選択されていればＳ９へ、録画予約された情報の確認（予約確認）に対応したボタン８２が選択されていればＳ２２へ、ボタン８３またはボタン８４が選択されていればＳ７へ、それぞれ処理を進める。なお、Ｓ１０〜Ｓ２１は、図２を用いて説明した予約情報を生成するための処理である。
【００６２】
Ｓ９では、ＣＰＵ２は、ＲＯＭ３の中の、図２に示したような予約情報を記録する領域に、新たな予約番号を定義して、Ｓ１０に処理を進める。これにより、当該領域において、たとえば、それまで、「録画予約１」と「録画予約２」が記憶されている状態であれば、Ｓ９の処理により、予約番号３の予約情報を記録する領域が作成されることになる。そして、Ｓ９の処理によって作成された、新たな予約情報を記録する領域には、次回、Ｓ８からＳ９への処理の移行があるまでに実行されるＳ１０〜Ｓ２１の処理で設定された情報が記憶される。
【００６３】
Ｓ１０では、ＣＰＵ２は、録画日付を設定するための処理（録画日付設定処理）を実行した後、Ｓ１１で、録画チャンネルを設定するための処理（録画チャンネル設定処理）を実行し、そして、Ｓ１２で、録画開始時刻を設定するための処理（録画開始時刻設定処理）を実行した後、Ｓ１３に処理を進める。
【００６４】
Ｓ１３では、ＣＰＵ２は、ユーザからの、録画終了時刻と録画時間のどちらを設定することを希望するかについての情報の入力を受付け、当該入力された情報の内容をチェックする。そして、ＣＰＵ２は、当該入力された情報が、録画終了時刻を設定する情報であればＳ１４へ、録画時間を設定する情報であればＳ１５へ、それぞれ処理を進める。
【００６５】
そして、ＣＰＵ２は、Ｓ１４で、録画終了時刻を設定するための処理（録画終了時刻設定処理）を実行して、処理をＳ１６に進める。また、ＣＰＵ２は、Ｓ１５で、録画時間を設定するための処理（録画時間設定処理）を実行して、処理をＳ１６に進める。
【００６６】
Ｓ１６では、ＣＰＵ２は、ユーザからの、その時点で予約情報の生成の終了を希望するか、または、録画画質の設定を希望するか、いずれかの情報の入力を受付け、当該入力された情報の内容をチェックする。そして、ＣＰＵ２は、入力された情報が、前者の情報であると判断するとＳ２０へ処理を進め、後者の情報であると判断するとＳ１７へ処理を進める。
【００６７】
Ｓ１７では、ＣＰＵ２は、録画画質を設定するための処理（録画画質設定処理）を実行して、Ｓ１８に処理を進める。Ｓ１８では、ＣＰＵ２は、ユーザからの、その時点で予約情報の生成の終了を希望するか、または、繰返し録画条件の設定を希望するか、いずれかの情報の入力を受付け、当該入力された情報の内容をチェックする。そして、ＣＰＵ２は、入力された情報が、前者の情報であると判断するとＳ２１へ処理を進め、後者の情報であると判断するとＳ１９へ処理を進める。
【００６８】
Ｓ１９では、ＣＰＵ２は、繰返し録画条件を設定する処理（繰返し録画条件設定処理）を実行して、処理をＳ２２に進める。
【００６９】
一方、Ｓ２０では、ＣＰＵ２は、Ｓ９で作成された領域に、録画画質として、その時点でデフォルトとされている候補情報を登録して、Ｓ２１に処理を進める。
【００７０】
Ｓ２１では、ＣＰＵ２は、Ｓ９で作成された領域に、繰返し録画条件として、その時点でデフォルトとされている候補情報を登録して、Ｓ２２に処理を進める。なお、繰返し録画条件については、「条件を設定しない」ということが、デフォルトとされている場合がある。このような場合には、Ｓ２１の処理の結果、図２の録画予約１として示されるように、生成される予約情報は、繰返し録画条件が含まない。
【００７１】
Ｓ２２では、ＣＰＵ２は、表示装置に、図９に示すような予約一覧画面９０を表示させ、処理をＳ２３に進める。ここで、図９を参照して、予約一覧画面の一例について説明する。
【００７２】
予約一覧画面９０には、図２に示したような、ＲＯＭ３に記憶されている予約情報の一覧が表示される。予約一覧画面９０において最も左の欄に「１」「２」という番号が付されているのは、ＲＯＭ３に記憶されている予約情報における「録画予約１」および「録画予約２」に付された予約番号である。また、予約一覧画面９０には、予約番号ごとに、ＲＯＭ３に記憶されている録画日付等の各情報が表示されている。
【００７３】
Ｓ２３では、ＣＰＵ２は、リモコン１１に対してなされた操作の内容をチェックし、たとえば決定キー１２０が操作される等、予約一覧画面９０に表示された内容を決定する操作がなされたと判断すると、Ｓ１に処理を戻す。一方、リモコン１１に対して、予約一覧画面９０に表示された予約情報に対して修正するための操作がなされたと判断すると、Ｓ１０に処理を戻す。
【００７４】
なお、予約一覧画面９０に表示された予約情報に対して修正するための操作としては、予約情報全体を修正するための操作、特定の予約番号の予約情報を修正するための操作、および、特定の予約番号の予約情報の中の、録画日付等、一部の情報を修正するための操作が考えられる。そして、本実施の形態の図５および図６に示された処理は、特定の予約番号野予約情報の中の一部の情報を修正するための操作がなされた場合には、Ｓ２３から、Ｓ１０に処理が戻される代わりに、Ｓ１０〜Ｓ１９までの処理の中の、当該一部の情報の修正に対応するステップに処理が戻されるように構成されても良い。つまり、たとえば、予約情報に対して修正するための操作として、予約番号２の予約情報の録画開始時刻を修正するための操作がなされた場合には、Ｓ２３から、Ｓ１２に処理が戻されるように構成されても良い。
【００７５】
次に、Ｓ１０〜Ｓ１９において実行された、録画日付等の、予約情報を構成する各情報を設定するための処理について、詳細に説明する。
【００７６】
［録画日付設定処理］
図１０は、Ｓ１０の録画日付設定処理のサブルーチンのフローチャートである。
【００７７】
図１０を参照して、録画日付設定処理では、ＣＰＵ２は、まず、Ｓ１０１で、ＲＯＭ３に記憶されている候補情報（図３参照）の中の、「日付」の中の「第１群」という項目に含まれる候補情報を選択して、それらを表示装置に表示させ、Ｓ１０２に処理を進める。図１１に、Ｓ１０１の処理によって表示装置に表示される画面の一例を示す。
【００７８】
図１１を参照して、画面１１０には、ボタン１１１，１１２，１１３が表示される。これらのそれぞれのボタン上には、上記の第１群に含まれる「今日」「今週中」「来週以降」のそれぞれの候補情報に対応する文字列が表示されている。また、画面１１０には、ボタン１１４，１１５が表示される。ボタン１１４は、画面を初期画面等、直前に表示されていた画面に戻すためのボタンである。ボタン１１５は、現在の操作を終了するためのボタンである。
【００７９】
画面１１０では、ボタン１１１〜１１５のいずれか１つのボタンが選択可能である。ボタン１１１〜１１５のいずれかが選択された状態で決定キー１２０が操作されると、ＰＶＲ１では、選択されたボタンに応じた処理が実行される。なお、ボタン１１１〜１１３が選択された状態では、それぞれ、アイコン１１９が欄１１１Ａ〜１１３Ａ内に表示される。また、ボタン１１４，１１５が選択された状態では、当該ボタン１１４，１１５は選択されていない状態とは異なる色で表示される。ボタン１１１〜１１５の中で選択されるボタンは、たとえば、リモコン１１の上キー１２１および／または下キー１２２が操作されることにより変更される。
【００８０】
再度図１０を参照して、Ｓ１０２では、ＣＰＵ２は、決定キー１２０が操作されたときにボタン１１１〜１１５の中でどのボタンが選択されていたかを判断する。そして、「今日」に対応するボタン１１１が選択されていると判断すればＳ１０７へ、「今週中」に対応するボタン１１２が選択されていると判断すればＳ１０５へ、「来週以降」に対応するボタン１１３が選択されていると判断すればＳ１０３へ、それぞれ処理を進める。
【００８１】
Ｓ１０３で、ＣＰＵ２は、表示装置に、ＲＯＭ３に記憶されている候補情報の中の、「日付」の中の「第２群」という項目に含まれる候補情報を選択して、それらを、表示装置に表示させて、Ｓ１０４に処理を進める。なお、Ｓ１０３の処理により、「第２群」に含まれる「来週」等の複数の候補情報が、図１１に示したように、いずれかを選択可能な状態で、表示される。
【００８２】
そして、Ｓ１０４で、ＣＰＵ２は、Ｓ１０３で表示させた「第２群」の候補情報の中から週を選択する情報の入力を受付け、処理をＳ１０５に進める。なお、週を選択する情報は、たとえば、図１１を用いて説明したように、リモコン１１上のキーを適宜操作されることにより、入力される。
【００８３】
Ｓ１０５では、ＣＰＵ２は、表示装置に、ＲＯＭ３に記憶されている候補情報の中の、「日付」の中の「第３群」という項目に含まれる候補情報を選択して、それらを、表示装置に表示させて、Ｓ１０６に処理を進める。Ｓ１０３の処理により、「第３群」に含まれる「日曜」等の複数の候補情報が、いずれかを選択可能な状態で、表示される。
【００８４】
そして、Ｓ１０６で、ＣＰＵ２は、Ｓ１０５で表示させた「第３群」の候補情報の中から曜日を選択する情報の入力を受付け、処理をＳ１０７に進める。曜日を選択する情報は、たとえば、リモコン１１上のキーを適宜操作されることにより、入力される。
【００８５】
Ｓ１０７では、ＣＰＵ２は、Ｓ１０１〜Ｓ１０６の処理において入力された日付についての情報を、録画日付としてＳ９で作成された領域に登録して、リターンする。
【００８６】
［録画チャンネル設定処理］
次に、Ｓ１１の録画チャンネル設定処理について、当該処理のサブルーチンのフローチャートである図１２を参照して説明する。
【００８７】
録画チャンネル設定処理では、ＣＰＵ２は、まず、Ｓ１１１で、ＲＯＭ３に記憶されている候補情報（図３参照）の中の、「チャンネル」という分類に含まれる候補情報を選択して、それらの一覧を表示装置に表示させ、Ｓ１１２に処理を進める。Ｓ１１１の処理により、「チャンネル」に含まれる「Ａ」等の複数の候補情報が、いずれかを選択可能な状態で、表示される。
【００８８】
Ｓ１１２で、ＣＰＵ２は、Ｓ１１１で表示させた「チャンネル」の候補情報の中からチャンネルを選択する情報の入力を受付け、処理をＳ１１３に進める。チャンネルを選択する情報は、たとえば、リモコン１１上のキーを適宜操作されることにより、入力される。
【００８９】
Ｓ１１３では、ＣＰＵ２は、Ｓ１１２の処理において入力されたチャンネルについての情報を、録画チャンネルとしてＳ９で作成された領域に登録して、リターンする。
【００９０】
［録画開始時刻設定処理］
次に、Ｓ１２の録画開始時刻設定処理について、当該処理のサブルーチンのフローチャートである図１３を参照して説明する。
【００９１】
録画開始時刻設定処理では、ＣＰＵ２は、まず、Ｓ１２１で、ＲＯＭ３に記憶されている候補情報の中の、「時刻」の中の「午前／午後」という項目に含まれる候補情報を選択し、それらの一覧を、図１４に示すような画面１４０として、表示装置に表示させ、Ｓ１２２に処理を進める。
【００９２】
図１４を参照して、画面１４０には、ボタン１４１，１４２が表示される。これらのそれぞれのボタン上には、上記の第１群に含まれる「午前」「午後」のそれぞれの候補情報に対応する文字列が表示されている。また、画面１４０には、ボタン１４３，１４４が表示される。ボタン１４３は、画面を初期画面等、直前に表示されていた画面に戻すためのボタンである。ボタン１４４は、現在の操作を終了するためのボタンである。
【００９３】
画面１４０では、ボタン１４１〜１４４のいずれか１つのボタンが選択可能である。ボタン１４１〜１４４のいずれかが選択された状態で決定キー１２０が操作されると、ＰＶＲ１では、選択されたボタンに応じた処理が実行される。なお、ボタン１４１，１４２が選択された状態では、それぞれ、アイコン１４９が欄１４１Ａ〜１４３Ａ内に表示される。また、ボタン１４３，１４４が選択された状態では、当該ボタン１４３，１４４は選択されていない状態とは異なる色で表示される。ボタン１４１〜１４４の中で選択されるボタンは、たとえば、リモコン１４の上キー１２１および／または下キー１２２が操作されることにより変更される。
【００９４】
再度図１３を参照して、Ｓ１２２では、ＣＰＵ２は、Ｓ１２１で表示させた候補情報の中から午前と午後のいずれかを選択する情報の入力を受付け、処理をＳ１２３に進める。ユーザは、ボタン１４１が選択された状態で決定キー１２０を操作すれば、「午前」を選択する情報を入力でき、ボタン１４２が選択された状態で決定キー１２０を操作すれば、「午後」を選択する情報を入力できる。
【００９５】
Ｓ１２３で、ＣＰＵ２は、ＲＯＭ３に記憶されている候補情報の中の、「時刻」の中の「時」および「分」という項目に含まれる候補情報を選択して、それらの一覧を表示装置に表示させ、Ｓ１２４に処理を進める。Ｓ１２３の処理により、「時」に含まれる１〜１２までの数字がいずれかを選択可能な状態で表示され、また、「分」に含まれる「００」から「５０」までの数字がいずれかを選択可能な状態で表示される。つまり、Ｓ１２３により、「１１時３０分」等の時刻を設定可能な画面が表示される。
【００９６】
Ｓ１２４で、ＣＰＵ２は、Ｓ１２３で表示させた「時」および「分」の候補情報の中から「時」および「分」を選択する情報の入力を受付け、処理をＳ１２５に進める。「時」および「分」を選択する情報は、たとえば、リモコン１１上のキーを適宜操作されることによって入力される。
【００９７】
Ｓ１２５では、ＣＰＵ２は、Ｓ１２１〜Ｓ１２４の処理において入力された時刻を、録画開始時刻としてＳ９で作成された領域に登録して、リターンする。
【００９８】
［録画終了時刻設定処理］
次に、Ｓ１４の録画終了時刻設定処理について、当該処理のサブルーチンのフローチャートである図１５を参照して説明する。
【００９９】
録画終了時刻設定処理では、ＣＰＵ２は、まず、Ｓ１４１で、ＲＯＭ３に記憶されている候補情報の中の、「時刻」の中の「午前／午後」という項目に含まれる候補情報を選択し、それらの一覧を、図１４に示したような画面１４０として、表示装置に表示させ、Ｓ１４２に処理を進める。
【０１００】
再度図１５を参照して、Ｓ１４２では、ＣＰＵ２は、Ｓ１４１で表示させた候補情報の中から午前と午後のいずれかを選択する情報の入力を受付け、処理をＳ１４３に進める。
【０１０１】
Ｓ１４３で、ＣＰＵ２は、ＲＯＭ３に記憶されている候補情報の中の、「時刻」の中の「時」および「分」という項目に含まれる候補情報を選択して、それらの一覧を表示装置に表示させ、Ｓ１４４に処理を進める。
【０１０２】
Ｓ１４４で、ＣＰＵ２は、Ｓ１４３で表示させた「時」および「分」の候補情報の中から「時」および「分」を選択する情報の入力を受付け、処理をＳ１４５に進める。「時」および「分」を選択する情報は、たとえば、リモコン１１上のキーを適宜操作されることによって入力される。
【０１０３】
Ｓ１４５では、ＣＰＵ２は、Ｓ１４１〜Ｓ１４４の処理において入力された時刻を、録画終了時刻としてＳ９で作成された領域に登録して、リターンする。
【０１０４】
［録画時間設定処理］
次に、Ｓ１５の録画時間設定処理について、当該処理のサブルーチンのフローチャートである図１６を参照して説明する。
【０１０５】
録画時間設定処理では、ＣＰＵ２は、まず、Ｓ１５１で、ＲＯＭ３に記憶されている候補情報の中の、「時間」という分類に含まれる候補情報を選択して、それらの一覧を表示装置に表示させ、Ｓ１５２に処理を進める。Ｓ１５１の処理により、「時間」に含まれる「００」等の複数の候補情報が、いずれかを選択可能な状態で、表示される。
【０１０６】
Ｓ１５２で、ＣＰＵ２は、Ｓ１５１で表示させた「時間」の候補情報の中から録画時間を選択する情報の入力を受付け、処理をＳ１５３に進める。録画を選択する情報は、たとえば、リモコン１１上のキーを適宜操作されることにより、入力される。
【０１０７】
Ｓ１５３では、ＣＰＵ２は、Ｓ１５２の処理において入力された録画時間についての情報を、録画時間としてＳ９で作成された領域に登録して、リターンする。
【０１０８】
［録画画質設定処理］
次に、Ｓ１７の録画画質設定処理について、当該処理のサブルーチンのフローチャートである図１７を参照して説明する。
【０１０９】
録画画質設定処理では、ＣＰＵ２は、まず、Ｓ１７１で、ＲＯＭ３に記憶されている候補情報の中の、「画質」という分類に含まれる候補情報を選択して、それらの一覧を表示装置に表示させ、Ｓ１７２に処理を進める。Ｓ１７１の処理により、「画質」に含まれる「ＸＰ」等の複数の候補情報が、いずれかを選択可能な状態で、表示される。
【０１１０】
Ｓ１７２で、ＣＰＵ２は、Ｓ１７１で表示させた候補情報の中から画質を選択する情報の入力を受付け、処理をＳ１７３に進める。画質を選択する情報は、たとえば、リモコン１１上のキーを適宜操作されることにより、入力される。
【０１１１】
Ｓ１７３では、ＣＰＵ２は、Ｓ１７２の処理において入力された画質についての情報を、録画画質としてＳ９で作成された領域に登録して、リターンする。
【０１１２】
［繰返し録画条件設定処理］
次に、Ｓ１９の繰返し録画条件設定処理について、当該処理のサブルーチンのフローチャートである図１８を参照して説明する。
【０１１３】
繰返し録画条件設定処理では、ＣＰＵ２は、まず、Ｓ１９１で、ＲＯＭ３に記憶されている候補情報の中の、「繰返し録画条件」という分類に含まれる候補情報を選択して、それらの一覧を表示装置に表示させ、Ｓ１９２に処理を進める。Ｓ１９１の処理により、「繰返し録画条件」に含まれる「毎日」「毎週」および「月〜土」の複数の候補情報が、いずれかを選択可能な状態で、表示される。
【０１１４】
Ｓ１９２で、ＣＰＵ２は、Ｓ１９１で表示させた候補情報の中から繰返し録画条件を選択する情報の入力を受付け、処理をＳ１９３に進める。繰返し録画条件を選択する情報は、たとえば、リモコン１１上のキーを適宜操作されることにより、入力される。
【０１１５】
Ｓ１９３では、ＣＰＵ２は、Ｓ１９２の処理において入力された繰返し録画条件についての情報を、繰返し録画条件としてＳ９で作成された領域に登録して、リターンする。
【０１１６】
［実施の形態についての変更可能な内容等］
以上説明した本実施の形態では、ＰＶＲ１において、リモコン１１上のキーを適宜操作することにより、予約情報を生成できる。なお、予約情報の生成に際して、録画画質および繰返し録画条件については、ユーザは、予約情報を生成するたびに設定することもできるし、特に設定するための操作を行なうことなくデフォルトとされている候補情報を登録させることもできる。つまり、ユーザにとって、予約情報の生成について、録画画質と繰返し録画条件を設定するための操作は、必須とはされない。
【０１１７】
本実施の形態において、予約情報には、録画日付、録画チャンネル等の複数の情報が含まれる。そして、本実施の形態では、当該予約情報が生成される際、図１０〜図１８を用いて説明したように、各情報について、個々に、情報を入力する画面が表示される。つまり、たとえば、録画日付が設定される場合、Ｓ１０１、Ｓ１０３、および、Ｓ１０５として説明したように、まず、第１群についての候補情報を入力する画面と、第２群についての候補情報を入力する画面と、第３群についての候補情報を入力する画面とは、別々に表示され、これらの画面は同時に表示されることはない。これにより、ユーザは、現在、どの情報の入力についてリモコン１１を操作すればよいかを、容易に認識できる。
【０１１８】
さらに、本実施の形態では、入力すべき情報の候補となる候補情報が表示装置に表示され、ユーザは、表示された候補情報の中の１つを選択することにより、予約情報を構成する情報を入力できる。
【０１１９】
なお、入力すべき情報の候補となる候補情報は、図１１，図１４等に示されたように、それぞれに対応するボタンとともに表示される。そして、ユーザは、表示された複数のボタンの中から或るボタンを選択した状態で、決定ボタン１２０を操作することにより、予約情報を構成する情報を入力できる。つまり、本実施の形態では、決定ボタン１２０を操作することが、選択された或るボタンを確定させることに相当する。
【０１２０】
図１１および図１４を参照して説明したように、ユーザは、リモコン１１上のキーを操作することにより、選択するボタンを変更できる。なお、リモコン１１の上キー１２１が操作されるごとに選択されるボタンが一定の順序（たとえば、図１１であれば、ボタン１１１、ボタン１１２、ボタン１１３、ボタン１１４、ボタン１１５の順）で変更され、また、下キー１２２が操作されるごとに選択されるボタンが当該一定の順序の逆の順序（たとえば、図１１で、ボタン１１５、ボタン１１４、ボタン１１３、ボタン１１３、ボタン１１１の順）で変更されるように構成されていれば、ユーザは、上キー１２１および／または下キー１２２と、決定キー１２０とを操作するだけで、予約情報を生成できる。また、予約情報を生成の前段階の画面（Ｓ１で表示させる初期画面、Ｓ３で表示させるＳｅｔｕｐ画面、および、Ｓ６で表示させる予約初期画面）についても、同様に、選択するボタンを上キー１２１および／または下キー１２２を操作するだけで、変更できれば、ユーザは、さらに容易な操作で、予約情報を生成できる。
【０１２１】
また、選択するボタンの変更に上キー１２１や下キー１２２等の、変更する方向を直感的に認識できるキー以外のキーが、当該変更に利用されても良い。そして、そのような場合、図１９に示すようなウィンドウ１９０を、表示装置の画面内に、追加として表示させても良い。図１９を参照して、ウィンドウ１９０内には、欄１９１〜１９４が表示されている。欄１９１には、メニューキー１１８を操作することが、上記した決定キー１２０が操作されたのと同様の効果、つまり、現在表示装置に表示されている内容を決定（確定）させる効果が奏することを意味する表示がなされている。欄１９２には、再生キー１１４、停止キー１１７を操作されることが、選択するボタンが上方向または下方向に変更される効果があることを意味する表示がなされている。欄１９３には、早送りキー１１５が操作されることが、表示装置にその時点で表示されている画面の次に表示されるべき画面の表示を指示する効果があることを意味する表示がなされている。欄１９４には、巻戻しキー１１６が操作されることが、表示装置にその時点で表示されている画面の前に表示されていた画面の表示を指示する効果があることを意味する表示がなされている。
【０１２２】
なお、以上説明した本実施の形態では、予約情報を生成する場合、録画日付、録画チャンネル、録画開始時刻、録画終了時刻または録画時間、録画画質、繰返し録画条件の順に情報の入力が行なわれたが、情報の入力の順序はこれに限定されない。
【０１２３】
また、図１１および図１４において表示されたボタンには、予約情報についての候補情報に対応する文字列が表示されたが、候補情報をユーザが認識できるのであれば、他の態様で表示されても良い。たとえば、録画開始時刻や録画終了時刻については、時計の画像を表示させる等の変更が考えられる。
【０１２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２５】
【図１】本発明の第１の実施の形態のＰＶＲの制御ブロック図である。
【図２】図１のＰＶＲのＲＯＭに記憶されている予約情報の内容を示す図である。
【図３】図１のＰＶＲのＲＯＭに記憶されている候補情報の内容を示す図である。
【図４】図１のＰＶＲのリモコンの平面図である。
【図５】図１のＰＶＲのＣＰＵのメインルーチンのフローチャートである。
【図６】図１のＰＶＲのＣＰＵのメインルーチンのフローチャートである。
【図７】図５の処理により表示されるＳｅｔｕｐ画面を示す図である。
【図８】図５の処理により表示される予約初期画面を示す図である。
【図９】図５の処理により表示される予約一覧画面を示す図である。
【図１０】図５の録画日付設定処理のサブルーチンのフローチャートである。
【図１１】図１０の処理により表示装置に表示される画面の一例を示す図である。
【図１２】図５の録画チャンネル設定処理のサブルーチンのフローチャートである。
【図１３】図５の録画開始時刻設定処理のサブルーチンのフローチャートである。
【図１４】図１３の処理によえり表示される画面の一例を示す図である。
【図１５】図５の録画終了時刻設定処理のサブルーチンのフローチャートである。
【図１６】図５の録画時間設定処理のサブルーチンのフローチャートである。
【図１７】図６の録画画質設定処理のサブルーチンのフローチャートである。
【図１８】図６の繰返し録画条件設定処理のサブルーチンのフローチャートである。
【図１９】図１のＰＶＲが、表示装置の画面内に、追加として表示させることが好ましい画面を示す図である。
【符号の説明】
【０１２６】
１  ＰＶＲ、２  ＣＰＵ、３  ＲＯＭ、４  ＲＡＭ、５  映像記憶部、６  ＨＤＤ、７  映像入力部、８  Ａ／Ｄコンバータ、９  アンテナ、１０  入力部、１１  リモートコントローラ、１２  映像出力部、１３  Ｄ／Ａコンバータ、１４  外部接続部、７０  Ｓｅｔｕｐ画面、７１〜７６，８１〜８４  ボタン、８０  予約初期画面、９０  予約一覧画面、１１１  予約キー、１１２  テンキー、１１３  ＋１０キー、１１４  再生キー、１１７  停止キー、１１８  メニューキー、１１９  録画キー、１２０  決定キー、１２１  上キー、１２２  下キー、１２３  右キー、１２４  左キー、１３０  電源キー。
【図１】
2005167704.tif 000003
【図２】
2005167704.tif 000004
【図３】
2005167704.tif 000005
【図４】
2005167704.tif 000006
【図５】
2005167704.tif 000007
【図６】
2005167704.tif 000008
【図７】
2005167704.tif 000009
【図８】
2005167704.tif 000010
【図９】
2005167704.tif 000011
【図１０】
2005167704.tif 000012
【図１１】
2005167704.tif 000013
【図１２】
2005167704.tif 000014
【図１３】
2005167704.tif 000015
【図１４】
2005167704.tif 000016
【図１５】
2005167704.tif 000017
【図１６】
2005167704.tif 000018
【図１７】
2005167704.tif 000019
【図１８】
2005167704.tif 000020
【図１９】
2005167704.tif 000021